(57)【要約】【課題】土木工事等における作業日報データに入力漏れがある場合に、直ちにその事実を知ることができる管理システムを提案する。【解決手段】土木工事等の日報情報を、あらかじめ定められた項目について登録する日報情報登録機能と、カレンダーを表示する画面表示機能と、前記項目に対し前記登録された日報情報の充足または不充足に従い、カレンダーに表示する内容が定められる機能とをコンピュータにより実現するための土木建設原価管理プログラム。【選択図】　図１３
2004118686.tif 000002
【特許請求の範囲】
【請求項１】
土木工事若しくは建設工事の１日ごとの工事内容に関する日報情報を、あらかじめ定められた項目について登録する日報情報登録機能と、カレンダーを表示する画面表示機能と、前記項目に対し前記登録された日報情報の充足または不充足に従い、カレンダーに表示する内容が定められる機能とをコンピュータにより実現するための土木建設原価管理プログラム。
【請求項２】
工事現場ごとに定められた予算項目と予算内容とを登録する予算情報登録機能を有し、日報情報の項目には前記予算項目が含まれており、日報情報の充足または不充足を前記予算項目について判断する機能をコンピュータにより実現するための請求項１に記載のプログラム。
【請求項３】
日報情報の項目および予算項目がそれぞれ木構造をなしている請求項２に記載のプログラム。
【請求項４】
予算項目に関する木構造の階層構造を、工事現場ごとに選択できる請求項３に記載のプログラム。
【請求項５】
カレンダーが、日報情報が入力されるための画面に組み込まれている請求項１に記載のプログラム。
【請求項６】
カレンダーが、日報情報を表示するための画面に組み込まれている請求項１に記載のプログラム。
【請求項７】
カレンダーに表示される内容が、日報情報の充足または不充足に従って、日ごとに表示色を変化させたものである請求項１または２に記載のプログラム。
【請求項８】
請求項１〜７のいずれかに記載のプログラムが格納されたコンピュータ読み取り可能な記録媒体。
【発明の詳細な説明】
【０００１】
【発明の属する技術分野】
本発明は、土木工事や建設工事の原価管理をコンピュータにより行なうための管理プログラムおよびそのプログラムが格納されたコンピュータ読み取り可能な記録媒体に関し、特に、日報データの入力漏れを防止することにより原価管理を正確に行なうための管理プログラムおよび記録媒体に関する。
【０００２】
【従来の技術】
土木建設工事では、河川工事であるか地盤改良工事であるかまたは道路工事であるかなどの工事の種類により、具体的に必要とされる工事内容が異なる。また、同じ種類の工事であっても規模が異なると投入すべき人員や機械が異なる。さらに、一つ一つの工事は、通常、数日から数ヶ月、場合によっては数年を要するから、工事のどの段階にあるかによって必要とされる人員や機械の種類や数等が異なる。さらに、作業当日の天候や地盤状況等の自然条件や、また人的条件等によっても影響される。従って、あらかじめ予算を立てて工事スケジュールを組んでも、予測できない各種の条件によって工事の進捗状況が左右され、実算に変動が生じる。
【０００３】
そのため、一定の形式に基づいて毎日の作業日報を作成して、実際の工事費用を管理するのが通常であり、これをコンピュータにより行なうための管理システムも各種提案されている。例えば、毎日の作業日報をあらかじめ定めた表形式に入力せしめて、後からのデータ検索を行なう場合に検索しやすくしたシステムがある。また、工事の進捗度合いに関してあらかじめ定めた一定の様式の入力枠を用い、進捗度合いの入力にはカレンダーを用いて、工事の完了日はカレンダー日を、工事の予定日はカレンダー日の翌日等の日を入力する複数のブロックの工程を管理するシステムが開示されている（例えば、特許文献１参照。）。
【０００４】
ところで、工事の内容や規模は多種多様であり、日報に入力すべき項目は工事ごとに異なる。そして、この日報に入力すべきデータに漏れが生じると費用の実算に狂いが生じてしまい正確な管理が不可能となる。後日に入力漏れが判明しても正確なデータを取得するには手間がかかるし、場合によっては入力すべきデータが不明のままになってしまうこともある。
【０００５】
そのため、前記のごときコンピュータを用いた管理システムを用いても、入力漏れデータの有無は、担当者が個々の工事ごとにデータを検索して調べる必要があり、データの入力漏れを防止することはなかなかに困難であった。
【０００６】
【特許文献１】
特開平１０−４６８１２号公報
【０００７】
【発明が解決しようとする課題】
本発明は、土木工事若しくは建設工事における毎日の作業日報の入力データに入力漏れがある場合に、入力担当者が直ちにその事実を知ることができる管理システムを提案することを課題とする。
【０００８】
【課題を解決するための手段】
本発明の第１は、土木工事若しくは建設工事の１日ごとの工事内容に関する日報情報を、あらかじめ定められた項目について登録する日報情報登録機能と、カレンダーを表示する画面表示機能と、前記項目に対し前記登録された日報情報の充足または不充足に従い、カレンダーに表示する内容が定められる機能とをコンピュータにより実現するための土木建設原価管理プログラムである。この構成により、日報情報の一部の項目についてデータが入力されていなければ、カレンダーにその旨が表示されるので、入力担当者がその事実を直ちに知ることができて、データの抜けが生じにくくなる。
【０００９】
また、工事現場ごとに定められた予算項目と予算内容とを登録する予算情報登録機能を有し、日報情報の項目には前記予算項目が含まれており、日報情報の充足または不充足を前記予算項目について判断する機能をコンピュータにより実現するための上記のプログラムとすることは望ましい。この構成により、あらかじめ設定した予算項目についての日報情報の不充足が表示されるので、規模が小さい工事など予算項目が少ない工事に関して、必要以上の日報情報の入力を要求されることがない。すなわち現場の規模にあった柔軟な対応が可能となる。
【００１０】
さらに、日報情報の項目および予算項目がそれぞれ木構造をなしている上記のプログラムとすることは望ましい。この構成により、工事現場ごとの柔軟な管理が可能となる。
【００１１】
さらに、予算項目に関する木構造の階層構造を、工事現場ごとに選択できる上記のプログラムとすることは望ましい。この構成により、工事の規模に対応した柔軟な管理が可能となる。
【００１２】
また、カレンダーが、日報情報が入力されるための画面に組み込まれている上記のプログラムとすることは望ましい。この構成により、日報入力を行なう際には必ずカレンダーを見ることになり、どの日の日報に入力漏れがあるかを直ちに確認することができる。
【００１３】
また、カレンダーが、日報情報を表示するための画面に組み込まれている上記のプログラムとすることは望ましい。この構成により、入力担当者が入力漏れが有ることに気づきやすくなり、実算の正確さが向上する。
【００１４】
また、カレンダーに表示される内容が、日報情報の充足または不充足に従って、日ごとに表示色を変化させたものである上記のプログラムとすることは望ましい。この構成により、一見して日報情報に入力漏れがある日を判別できる。
【００１５】
本発明の第２は、上記のいずれかに記載のプログラムが格納されたコンピュータ読み取り可能な記録媒体である。この構成により、上記のプログラムをコンピュータにインストールとして、上記の１または２以上の効果を発揮させることができる。
【００１６】
【発明の実施の形態】
本発明の土木建設原価管理プログラムの一例について、図面を用いて具体的に説明する。図１は、本発明の管理プログラムをコンピュータにインストールして構成された管理システムの内部構成の概略ブロック図である。管理システムは、処理部１及び記憶部２を有し、さらに入力３、出力４、通信５の各インターフェイスを有する。
【００１７】
まず、記憶部２について説明する。記憶部２の現場情報１００は、工事現場の場所、工事の施工主、工事の工期や施行形態等のそれぞれの現場工事に特有の情報を格納したものであり、例えば、図２に記載のテーブルが例示できる。図２のテーブルでは、工事現場ごとにユニークに定められた現場コードにより、工事現場ごとに現場情報が格納されている。具体的には、工事現場の通称である現場名、工事現場が含まれる地域を特定する地域コード、工事現場の住所、工事場の中で受け持つ工事の場所、予算項目としてどのような木構造を採用するか、すなわち、図３に例示するように、「工種」項目を使用するか「作業内容」項目を使用するか、それともそれらの両者を使用するか若しくはしないかを特定して、予算項目の階層構造を特定する管理体系コード、発注元を特定する発注元コード、工事を請け負った部門を特定する部門コード、工事責任者を特定するコード、単独受注か共同受注か、元請けか下請けかを区別する施行形態コード、工事契約が締結された日を特定する契約日等の情報が含まれる。
【００１８】
次に、予算情報１１０には、図４に示すように、工事現場コードごとに予算に関する情報が格納されており、これらの情報は予算情報登録部２０によって登録される。予算情報は階層（高さ）が３以内の木構造をなしており、階層の数は工事現場ごとにあらかじめ選択することができる。この選択は、先に述べた管理体系コードの選択により決定される。この選択に基づいて、図４のテーブルを経由して、特定の現場コードに対応する根アドレスで特定される木構造に予算情報が格納されている。
【００１９】
例えば、ある工事現場に対して、１階層の予算情報を選択した場合の例を図５に示す。現場コードと結びついた根アドレスで特定される工事現場の予算情報に、複数の原価項目がぶら下がって１階層の木構造を構成している。ここで、原価項目とは、工事で使用する普通作業員の人数、使用する機器の種類と台数、機器のオペレータの人数等のように、後で説明する工事原価情報１５０と対応して、工事原価を構成する最小単位の項目を意味する。それぞれの現場工事で必要な原価項目を適宜選択して予算情報を構成する。図５で原価項目の右に記載されたデータはそれぞれの原価項目の付属情報であり、たとえば、原価項目の「普通作業員」には、人数が「１５人」という付属情報が格納されている。同様に、「オペレータ」には「１０人」という付属情報が格納されている。
【００２０】
図６は予算情報が２階層で構成された例である。この例では、「工種」の階層と「原価項目」の階層が使用され、「作業内容」の階層は選択されていない。ここで、工種とは、例えば土木工事では、河川土工、地盤改良工、道路土工、擁壁工、石・ブロック積（張）工、法面工、舗装工、仮設工、橋梁工、構造物撤去工、附帯道路工等と表現される最も大きな分類の項目であって、それ自身に格納されるべき値を有さないか、有したとしても「一式」などとのみ表現されるものをいう。また、「作業内容」とは、「工種」と「原価項目」との中間に位置する分類で、例えばバックホウ掘削積込、小規模土工、機械締固め、ダンプトラック運搬、一般型枠無筋構造物、基礎砕石工、Ｕ型側溝布設、蓋据付、路体盛土、盛土法面整形、鉄筋加工組立、Ｌ型プレキャスト擁壁工、不陸整正、上層路盤工等と表現される中間分類の項目であって、それ自身に格納されるべき値を有している。工種、作業内容とも現場工事で必要な項目を適宜選択して予算情報を構成し、作業内容には付属情報を入力する。例えば、「作業内容」が「バックホウ掘削」であれば、付属情報として「１５００ｍ２」等のデータが格納される。
【００２１】
図６の予算例は、工種と原価項目のみを用いた２階層の予算であるが、作業内容と原価項目を用いた２階層にしても良いし、工種と作業項目と原価項目を三つとも用いて３階層の予算にしても良い。そしてそれぞれの具体的な項目名は現場工事の内容に応じて適宜選択すればよい。つまり、階層数、項目名のいずれにせよ、現場工事の規模や内容に応じて選択することができる。
【００２２】
次に、日報情報１２０について説明する。日報情報１２０は、現場コードで特定される現場工事において、実際に工事に使用した人数や普通作業員やオペレータ等の種別、機器の種類や台数等の情報が１日ごとに格納される。日報情報テーブルの例を図７に示す。現場コードと実際に工事を行なった日付け（作業日）で特定される列ごとに日報情報が格納されており、図７の例では、「作業日」の他、実算の基礎となる実際に使用した人数等の情報が格納されている木構造の根アドレス、その日に関して日報入力項目に漏れが有るか無いかをカレンダー表示するためのカレンダー項目情報、データの入力日等が格納されている。
【００２３】
日報情報のうち、実際に使用した人数などの情報が格納されている木構造部分は、予算情報１１０と同様に、階層（高さ）が３の階層構造となっている。各階層が上から「工種」、「作業内容」、「原価項目」と名づけられている点、さらにそれらに含まれる具体的な項目名は予算情報の木構造のそれらと共通している。予算と日報を対応させるためである。しかし、この日報情報の木構造部分は、予算情報と異なって３階層に固定されており、いずれかの階層を使用しないという選択はできない。これは、予算を立てたときの状況とは異なり、工事現場では当初予想できない事態が発生しうることを考慮して、予算の階層とは異なるデータ入力もできるようにして状況の変化に柔軟に対処するためである。日報情報の木構造部分の例を図８に示す。毎日の日報入力において、入力担当者は予算情報で設定されている項目に関しては付属情報を入力し、予算情報で設定されていない項目に関しては、項目名と付属情報を入力する。
【００２４】
次に、カレンダー項目情報１３０について説明する。カレンダー項目情報１３０は、現場コードごと、日付けごとに、カレンダーの該当する日付け部分に表示すべき色のコードを格納している。このコードの意味の例を図９に示す。ここで、地色とは、オレンジまたは青を除く色で、日報情報に何の情報も入力されていない日に対応するカレンダーの日付け部分に用いられる。オレンジが表示された日付は、予算情報に対応する日報情報の一部が入力されているが、入力に漏れが有る、すなわち不充足と判断された日付けであることを意味し、青は、予算情報に対応する日報情報の全部が入力されており漏れがない、すなわち充足と判断された日付けであることを意味する。カレンダー項目情報は、日報情報登録部３０によって日報情報が入力・登録された段階で、カレンダー項目書換部４０によって予算情報と対比しながら随時書き換えられる。
【００２５】
次に、画面情報１４０について説明する。画面情報１４０には、カレンダーを一部に表示するとともに現場の概要情報と作業メニューボタンを表示する図１５に例示したごとき現場メニュー画面の画面情報、現場情報を入力・登録すると共に管理体系を選択する現場登録画面の画面の画面情報、予算情報の木構造を表示すると共に予算入力を行なうための予算入力画面の画面情報、カレンダーを一部に表示するとともに、現場情報の一部を表示して日報情報を入力するための図１４に例示したごとき現場日報画面の画面情報、各原価項目の単位原価を入力・参照・修正するための原価項目画面の画面情報、実際に要して費用の実算を予算と対比して表示する実算表示画面の画面情報等の画面情報が格納されている。
【００２６】
次に、工事原価情報１５０には、予算の最小単位である原価項目の単位量に対する費用情報が格納されている。また、実算情報１６０には、日報情報と工事原価情報に基づいて、工事現場ごとに実算演算部６０で計算された費用データが格納されている。
【００２７】
次に、処理部１について説明する。現場情報登録部１０と予算情報登録部２０は、それぞれ工事現場を特定して入力された情報を、それぞれ記憶部２の現場情報１００と予算情報１１０として現場コードと結び付けて登録する。このフローを図１０のフローチャートに示す。ステップＳＴ０３の現場情報入力で管理体系を選択すると、ステップＳＴ０５で予算登録画面が表示される際に、管理体系コードに従って予算情報の階層構造が決定されて予算登録画面が表示される。その結果、選択された階層についてだけ予算入力と登録ができるようになる。なお、管理体系コードはデフォルトでは、図３の「０４（工種、作業内容のいずれも使用する（３階層管理））」となっている。
【００２８】
次に、日報情報登録部３０とカレンダー項目書換部４０について説明する。日報情報登録部３０は、工事現場を特定して、作業日に実際に発生した作業に関する情報が入力されると、それらの情報を記憶部２の日報情報１２０として登録する。日報情報の登録が行なわれると続いて、カレンダー項目書換部４０は、該当する現場コードの予算情報と日報情報を対比し、予算情報に対応する日報情報が登録されているか否かを判断する。すべての予算情報に対応する日報情報が登録されていた場合には、カレンダー項目書換部４０は、カレンダー項目コードを青のコード（図９における「０２」）に書き換える。予算情報に対応する日報情報に漏れが有った場合には、カレンダー項目書換部４０は、カレンダー項目コードをオレンジのコード（図９における「０１」）に書き換える。これを図１１のフローチャートを用いて説明する。
【００２９】
まず、日報情報の登録フローは、図１１のフローチャートにおけるステップＳＮ０１からＳＮ０４が該当する。続いてカレンダー項目書換のフローは、ステップＳＮ０４からＳＮ０９が該当する。ここで、ステップＳＮ０５では、予算情報の登録において使用すると選択された階層に対応する日報情報の階層において、予算情報で選択された項目に対応する日報情報の項目に、日報情報が登録されているか否かを判断する。
【００３０】
ここで、予算情報で選択されていない階層や項目に日報情報が入力されていても、カレンダー項目書換部４０は、それらの日報情報を無視する。これは、管理の基本はあらかじめ予算として選択された階層や項目であり、日報情報は、最低限それらの項目については漏れなく入力されることが必要だからである。予算の登録後に、現場の状況に対応して臨機応変に入力された階層や項目については、予算に対する管理項目とは言えないから、入力漏れの有無をカレンダーに表示する必要はなく、従って、カレンダー項目書換部４０は、予算情報の登録において選択されなかった対応する階層や項目に入力された日報情報を判断対象とせずに無視する。なお、日報情報に項目が入力されたものの付属情報の入力の有無を、カレンダー項目に関する判断対象として含めてもよい。
【００３１】
図１１のフローの説明に戻る。予算情報で選択された階層において、予算情報で選択された項目に日報情報がまったく入力されていない場合には、フローはステップＳＮ０５から右に分岐してステップＳＮ０８に移行し、カレンダー項目コードを入力漏れが有ることを意味するオレンジのコードに書き換えて終了する。また、ステップＳＮ０５で、予算情報で選択された階層において、予算情報で選択された項目に対応する階層・項目のいずれかに日報情報が入力されている場合には、フローはステップＳＮ０５から下に分岐してステップＳＮ０６に移行する。ステップＳＮ０６では、予算情報で選択された階層において、予算情報で選択された項目のすべてに対応する階層・項目に日報情報が登録されているか否かを判断する。登録された日報情報に漏れがある場合は、フローはステップＳＮ０６から右に分岐してステップＳＮ０８に移行し、カレンダー項目コードをオレンジのコードに書き換えて終了する。漏れが無かった場合は、フローはステップＳＮ０６から下に分岐してステップＳＮ０７に移行し、カレンダー項目コードを入力漏れが無いことを意味する青のコードに書き換えて終了する。
【００３２】
このようにすることにより、現場工事の内容や規模に応じて柔軟に予算の設定を行なった場合に、カレンダー項目コードに基づいてカレンダーに表示される日報情報の入力漏れの有無の判断が、柔軟に設定した予算に対応してなされるようになる。例えば、大規模な工事の場合は、必要な予算階層や項目が多くなり、それに対応して日報情報に入力・登録すべき情報も増加する。従って、この予算に対応した比較的多数の日報情報を入力しない限り、カレンダーには、入力漏れと表示されることになる。逆に、小規模な工事の場合には、予算項目や階層を少なく設定でき、それに対応して日報情報に入力・登録すべき情報も少なくて済むことになる。従って、この予算に対応した比較的少数の日報情報を入力しさえすれば、カレンダーには入力漏れと表示されないで済む。
【００３３】
次に、画面表示部５０について説明する。画面表示部５０は、記憶部２の画面情報１４０から必要な画面情報を適宜読み出し画面に構成して表示する。ここで、特にカレンダーの表示について説明する。カレンダーの表示例を図１２に示す。図１２の例では、上部に、年を表示する窓２１０と年を選択するためのプルダウンメニューを表示するボタン２２０、同じく年について前進と後進を行なうボタン２３０、月について年と同様に表示する窓２４０、選択するためのプルダウンメニューを表示するボタン２５０、前進と後進のためのボタン２６０が設けられている。また、画面中央部には、曜日と日をあらわす数字がカレンダー形式で表示されている（２７０）。ここで、指定されている日付け（４日火曜日）の数字が実線の枠で囲まれている。画面下部には、作業当日の日付けを指定するための「今日」ボタン２８０が設けられ、指定されている日付け２９０が表示され、指定されている日付けを前進または後進させるためのボタン３００が設けられている。
【００３４】
このカレンダーが画面表示される際には、画面表示部は、特に指定されていなければ、前回にコンピュータ入力作業を行なった日を含む年と月のカレンダーを表示し、さらに、別途特定されている現場コードを用いて図７のテーブルからカレンダー項目コードを読み出し、カレンダーの該当する日付け数字の背景部分を、図９のテーブルで指定される色に表示する。これを表示されている月のすべての日について行なう。このように表示されたカレンダーの例を図１３に示す。図１３では、点線３１０で囲まれている数字が、背景が青で表示されている数字に対応しており、破線３２０で囲まれている数字が、背景がオレンジで表示されている数字に対応している。
【００３５】
このようにすることにより、予算情報に対し、対応する日報情報の入力・登録に漏れが有る日付けの数字の背景部分がオレンジ色に表示されて、入力漏れがはっきり認識できるようになる。また、入力漏れがない日付けの数字の背景部分は青色に表示されて、入力漏れが無いことが認識できる。これにより、予算に対して必要な日報情報に入力漏れが生じにくくなり、漏れの有無をいちいち入力者が検索して確認する必要もなくなる。また、実算管理の正確さが向上する。
【００３６】
なお、カレンダーにおける入力漏れの表示方法は、上記のように日付け数字の背景色を変更する方法に限られず、数字の書体や色を変えたりしても良いことは言うまでもなく、他の日付け数字から区別できるようにする表示の仕方であれば制限されないが、背景色を用いる方法がわかりやすく好ましい。
【００３７】
このカレンダー画面は、カレンダー画面だけを独立して表示するようにしても良いが、他の画面に組み込んでおくのが望ましい。これにより、通常業務を行なう際には、入力担当者が必ずカレンダーを見ることになるから、より入力漏れが生じにくくなる。カレンダー画面を組み込むことが望ましい画面は、工事現場の入力担当者が日報を入力する際に開く現場日報画面と、やはり工事現場の入力担当者が作業を開始する際に必ず開いて作業を選択する現場メニュー画面である。これらの画面は、入力担当者が毎日の作業で必ず開く画面だからである。
【００３８】
現場日報画面にカレンダーを組み込んだ例を図１４に示す。図１４の現場日報画面４００には、画面の表題と日付けを表示した表題部４１０が画面左上に表示され、その下にカレンダー４２０が設けられている。また、現場情報の一部を表示し、費用項目以外の日報情報を入力するための表示・入力部４５０が画面中央から右側にかけて設けられ、費用項目を入力するための費用入力部４３０が画面下部に設けられている。さらに、画面切り替えなどの制御操作を行なうボタン類４４０が画面上部に設けられている。
【００３９】
また、現場メニュー画面にカレンダーを組み込んだ例を図１５に示す。図１５で示された現場メニュー画面５００では、カレンダー５３０が画面右端に表示され、画面中央には現場コードで特定された工事現場の概況情報が表示される表示枠５２０が設けられている。また、画面左側及び下部には、現場メニューを選択するための各種の制御ボタン５１０が設けられている。
【００４０】
次に、実算演算部６０について説明する。実算演算部６０は、日報情報１２０が登録された場合に、その日報情報１２０と工事原価情報１５０に基づいて、工事現場ごとに実際の工事でかかった費用を演算し、記憶部２の実算情報１６０に格納する。
【００４１】
以上、本発明のプログラムを、プログラムをコンピュータにインストールした状態のシステムを用いて説明してきたが、これらプログラムをコンピューターが読み取り可能な記録媒体に格納してもよい。ここで、記録媒体とは、フレキシブルディスク、光磁気ディクス、ＲＯＭ、ＣＤ−ＲＯＭ等の可搬媒体、コンピュータシステムに内蔵されるハードディスク等の記録装置のことを言う。また、プログラムは、任意に分割し、分割したものを異なる記憶媒体に格納することも可能である。
【００４２】
本発明のプログラムをインストールして管理システムを構成する場合のハードウェア構成の例を図１６に示す。このハードウェア例では、記憶部２が格納されたデータベース６００と、処理部１を構成するサーバ６１０と、現場情報を登録するための登録端末６２０と、それらを接続する内部ＬＡＮ（Ｌｏｃａｌ　Ａｒｅａ　Ｎｅｔｗｏｒｋ）と外部のインターネットとを結ぶルータ６３０が設けられている。登録端末には、周辺機器として入力装置、ディスプレイ、プリンタ等が接続されている。ここで、入力装置とはキーボード、マウスなどの入力デバイスをいう。ディスプレイとは、ＣＲＴ（Ｃａｔｈｏｄｅ　Ｒａｙ　Ｔｕｂｅ）や液晶表示装置などを言う。工事現場では、インターネット経由でサーバにアクセスしてデータ参照や入力を行なうための現場端末が接続可能となっており、現場端末としては通常はパーソナルコンピュータが用いられるが、携帯電話やＰＤＡ（Ｐｅｒｓｏｎａｌ　Ｄｉｇｉｔａｌ　Ａｓｓｉｓｔａｎｃｅ）、さらには専用のネットワーク端末などを用いても良い。また、スタンドアロンのコンピュータにプログラムをインストールしてシステムを構成しても良い。
【００４３】
記憶部またはデータベースは、ハードディスク装置や光磁気ディスク装置、フラッシュメモリなどの不揮発性メモリや、ＣＤ−ＲＯＭ等の読み出しのみが可能な記録媒体、ＲＡＭのような揮発性のメモリ、あるいはこれらの組み合わせにより構成される。各端末にあっても同じ。
【００４４】
以上、この発明の実施形態を図面を参照して詳述してきたが、具体的な構成はこの実施形態に限られるものではなく、この発明の思想を逸脱しない設計変更も発明の範囲に含まれる。
【００４５】
【発明の効果】
土木工事若しくは建設工事における毎日の作業日報に入力すべきデータに入力漏れがある場合に、入力担当者が直ちにその事実を知ることができ、実算の正確さが向上する。
【図面の簡単な説明】
【図１】本発明のプログラムを用いて構成したシステムの内部構成の概略ブロック図である。
【図２】現場情報テーブルの例を示した図である。
【図３】管理体系情報のコードと内容をまとめた図である。
【図４】予算情報テーブルの例を示した図である。
【図５】１階層の予算の木構造例を示した概略ブロック図である。
【図６】２階層の予算の木構造例を示した概略ブロック図である。
【図７】日報情報テーブルの例を示した図である。
【図８】日報情報の木構造例を示した概略ブロック図である。
【図９】カレンダー項目コードの意味内容をまとめた図である。
【図１０】登録作業フローの概略を示したフローチャートである。
【図１１】日報入力フローの概略を示したフローチャートである。
【図１２】カレンダー部分の表示例を示した概略図である。
【図１３】カレンダーに入力漏れ有無のデータが表示された例の概略図である。
【図１４】カレンダーが組み込まれた日報画面の例である。
【図１５】カレンダーが組み込まれた現場メニュー画面の例である。
【図１６】ハードウェア構成の例を示した概略図である。
【符号の説明】
（図１２、１３）　２００　カレンダー、２１０　年を表示する窓、２２０　年を選択するプルダウンメニューを表示するボタン、２３０　年について前進と後進を行なうボタン、２４０　月を表示する窓、２５０　月を選択するためのプルダウンメニューを表示するボタン、２６０　月について前進と後進を行なうボタン、２７０　日付け数字と曜日の表示、２８０　日付けとして作業当日を指定するボタン、２９０　指定されている日付け、３００　指定日付けを前進または後進させるボタン、３１０　入力漏れがない日付け数字を囲む点線、３２０　入力漏れが有る日付け数字を囲む破線
（図１４）　４００　現場日報画面、４１０　表題部、４２０　カレンダー、４３０　費用入力部、４４０　制御操作用ボタン類、４５０　表示・入力部
（図１５）　５００　現場メニュー画面、５１０　制御ボタン、５２０　現場概況表示枠、５３０　カレンダー
【図１】
2004118686.tif 000003
【図２】
2004118686.tif 000004
【図３】
2004118686.tif 000005
【図４】
2004118686.tif 000006
【図５】
2004118686.tif 000007
【図６】
2004118686.tif 000008
【図７】
2004118686.tif 000009
【図８】
2004118686.tif 000010
【図９】
2004118686.tif 000011
【図１０】
2004118686.tif 000012
【図１１】
2004118686.tif 000013
【図１２】
2004118686.tif 000014
【図１３】
2004118686.tif 000015
【図１４】
2004118686.tif 000016
【図１５】
2004118686.tif 000017
【図１６】
2004118686.tif 000018